(57)【特許請求の範囲】
【請求項１】
端子金具が通過したあと前記端子金具に接続された電線が挿入されるシール孔を有し、前記シール孔の内周面には、前記シール孔を通過する過程の前記端子金具に干渉したあと前記電線の外周面に密着する網目状のリップが形成され、かつ前記網目状のリップによって多数の枡が区画されていることを特徴とするシール部材。
【請求項２】
前記リップは、前記電線の挿入方向に対して斜めに延びる互いに平行な複数の第１リップと、前記第１リップと交差しつつ前記電線の挿入方向に対して斜めに延びる互いに平行な複数の第２リップとからなることを特徴とする請求項１記載のシール部材。
【請求項３】
前記リップが、前記シール孔の内周面全体に亘って形成されている請求項１又は２記載のシール部材。
【請求項４】
請求項１ないし３のいずれか１項記載のシール部材が組み付けられ、前記シール孔と連通する位置に、キャビティを有するコネクタハウジングを備えることを特徴とする防水コネクタ。
【発明の詳細な説明】
【技術分野】
【０００１】
本発明は、シール部材及び防水コネクタに関する。
【背景技術】
【０００２】
特許文献１には、従来のシール部材及び防水コネクタが開示されている。防水コネクタは、端子金具が挿入される複数のキャビティを有するコネクタハウジングを備える。シール部材は、コネクタハウジングの後端部に組み付けられ、各キャビティと連通する位置に、複数のシール孔を有している。
【０００３】
また、各シール孔の内周面には、前後方向に間隔をあけて複数の内周リップが形成されている。各内周リップは、シール孔の内周面を周回する形態とされ、前後方向に並列に配置されている。端子金具がシール孔からキャビティ内に挿入されると、シール孔内に電線が挿入され、電線の外周面に各内周リップが弾性的に密着して、電線周りのシールがとられるようになっている。
【先行技術文献】
【特許文献】
【０００４】
【特許文献１】特開２０１０−１４０８７６号公報
【発明の概要】
【発明が解決しようとする課題】
【０００５】
ところで、上記の場合、端子金具がシール孔を通過する過程で、各内周リップの外面が端子金具との干渉に起因して損傷するおそれがある。そうすると、シール部材が所定の防水性を確保することができない懸念がある。
【０００６】
本発明は上記のような事情に基づいて完成されたものであって、所定の防水性を確保することが可能なシール部材及び防水コネクタを提供することを目的とする。
【課題を解決するための手段】
【０００７】
上記の目的を達成するための手段として、請求項１の発明は、端子金具が通過したあと前記端子金具に接続された電線が挿入されるシール孔を有し、前記シール孔の内周面には、前記シール孔を通過する過程の前記端子金具に干渉したあと前記電線の外周面に密着する網目状のリップが形成され、かつ前記網目状のリップによって多数の枡が区画されているところに特徴を有する。
【０００８】
請求項２の発明は、請求項１に記載のものにおいて、前記リップは、前記電線の挿入方向に対して斜めに延びる互いに平行な複数の第１リップと、前記第１リップと交差しつつ前記電線の挿入方向に対して斜めに延びる互いに平行な複数の第２リップとからなるところに特徴を有する。
【０００９】
請求項３の発明は、請求項１又は２に記載のものにおいて、前記リップが、前記シール孔の内周面全体に亘って形成されているところに特徴を有する。
【００１０】
請求項４の発明は、防水コネクタであって、請求項１ないし３のいずれか１項記載のシール部材が組み付けられ、前記シール孔と連通する位置に、キャビティを有するコネクタハウジングを備えるところに特徴を有する。
【発明の効果】
【００１１】
＜請求項１及び請求項４の発明＞
シール部材のシール孔に電線が挿入されると、電線の外周面に網目状のリップが密着するため、電線とリップとの接触面積が従来よりも増加する。したがって、仮に、端子金具の通過に起因してリップの一部が損傷しても、損傷していないリップの他部によってシール部材の所定の防水性が確保される。また、シール孔の内周面には網目状のリップによって多数の枡が区画されているため、仮に、シール孔内に水が浸入しても、水が枡で捕捉されることにより、端子金具側に水が付着するのが防止される。
【００１２】
＜請求項２の発明＞
リップが互いに交差する複数の第１、第２リップからなり、各第１、各第２リップがいずれも電線の挿入方向に対して斜めに延びる形態とされるため、各第１、各第２リップによって電線に対する引っ掛かりが形成され、電線に対するシール部材の保持信頼性が確保される。
【００１３】
＜請求項３の発明＞
リップがシール孔の内周面全体に亘って形成されているため、防水性がより高められる。
【図面の簡単な説明】
【００１４】
【図１】本発明の実施形態１に係るシール部材の斜視図である。
【図２】シール部材の断面図である。
【図３】シール部材におけるシール孔の内周面の展開図である。
【図４】防水コネクタの断面図である。
【発明を実施するための形態】
【００１５】
＜実施形態１＞
本発明の実施形態１を図１ないし図４によって説明する。
図４は、実施形態１に係る防水コネクタ１０をあらわしている。防水コネクタ１０は、コネクタハウジング２０を備えている。コネクタハウジング２０は、合成樹脂製であって全体としてブロック状をなし、内部に複数のキャビティ２１を有している。各キャビティ２１は、高さ方向に２段でかつ幅方向に複数列となって配置されている。各キャビティ２１の内面には、撓み可能なランス２２が突出して形成されている。そして、各キャビティ２１内には、後方から端子金具３０が挿入されるようになっている。
【００１６】
端子金具３０は、導電性の金属板を曲げ加工等して一体に成形され、箱状の本体部３１と、本体部３１の後方に連なるオープンバレル状のバレル部３２とを有している。本体部３１はコネクタ嵌合に伴って図示しない相手端子金具と電気的に接続され、バレル部３２は電線９０の端末部に圧着により接続されている。端子金具３０がキャビティ２１内に正規挿入されると、本体部３１がランス２２に弾性的に係止され、これによって端子金具３０がキャビティ２１内に抜け止めされるようになっている。
【００１７】
また、コネクタハウジング２０の後端面には収容凹部２３が開口して形成されている。収容凹部２３内には、後方からシール部材６０が組み付けられ、さらにシール部材６０の抜け止めをなすホルダ８０が組み付けられる。ホルダ８０は、ハウジング係止部８１を有し、ハウジング係止部８１がコネクタハウジング２０に形成された係止受け部２４を弾性的に係止することにより、コネクタハウジング２０に保持されるようになっている。また、ホルダ８０は、コネクタハウジング２０の各キャビティ２１と連通する位置に、電線９０が遊嵌状態で挿入される複数の電線遊挿孔８２を有している。
【００１８】
シール部材６０は、コネクタハウジング２０とホルダ８０との間に前後方向に挟持して配置される。具体的には、シール部材６０は、シリコンゴム等のゴム製であって、図１及び図２に示すように、前後方向に所定厚みをもったマット状のシール本体６１を有している。シール本体６１の外周面には、複数条の外周リップ６２が前後方向に並んで形成されている。各外周リップ６２は、シール本体６１の外周面を周回する形態とされ、谷部６３を挟んで互いに分離して配置されている。シール部材６０が収容凹部２３内に組み付けられると、収容凹部２３の内周面に各外周リップ６２が弾性的に密着し、これによってコネクタハウジング２０内が液密にシールされるようになっている。
【００１９】
また、シール部材６０には、図４に示すように、各キャビティ２１及び各電線遊挿孔８２と連通する位置に、複数のシール孔６４が形成されている。各シール孔６４は、図１及び図２に示すように、断面円形であって前後方向に貫通する形態とされている。
【００２０】
さて、シール部材６０における各シール孔６４の内周面には、網目のローレット形状からなるリップ６５が形成されている。リップ６５は、図２に示すように、電線９０の挿入方向Ａに対して斜め上向きに直線状に延びるとともに互いに平行な複数の第１リップ６６と、各第１リップ６６と交差しつつ電線９０の挿入方向Ａに対して斜め下向きに直線状に延びるとともに互いに平行な複数の第２リップ６７とからなる。各第１、各第２リップ６６、６７は、シール孔６４の内周面全体に格子状に張り巡らされ、その端末はシール本体６１の前後両端に臨んでいる。また、各第１、各第２リップ６６、６７は、それぞれ同じ突出寸法を有し、その突出端部には丸みが付けられている。
【００２１】
図３に示すように、各第１、各第２リップ６６、６７は、その延出途中で互いに交わる複数の交差点６８を介して、互いに連結されている。また、シール部材６０における各シール孔６４の内周面には、各交差点６８で交わる各第１、各第２リップ６６、６７によって多数の枡６９が区画されている。各枡６９は、互いに同形同大であって、それぞれ四角形状、詳細には平行四辺形状、より詳細にはひし形状をなし、前後方向及び周方向に整列に並んで配置されている。
【００２２】
以上が実施形態１の構造であり、次に、実施形態１の作用を説明する。
コネクタハウジング２０の収容凹部２３内には後方からシール部材６０が挿入され、さらにホルダ８０が挿入されて取り付けられる。続いて、コネクタハウジング２０のキャビティ２１内には、電線９０の端末部に接続された端子金具３０が挿入される。端子金具３０は、電線遊挿孔８２からシール孔６４を経てキャビティ２１内に挿入される。キャビティ２１内に端子金具３０が正規挿入されると、ランス２２の係止作用によって端子金具３０の抜け止めがなされ、かつシール孔６４のリップ６５が電線９０の外周面に弾性的に密着して電線９０周りのシールがとられる（図４を参照）。
【００２３】
ところで、端子金具３０がシール孔６４を通過する過程では、本体部３１がリップ６５と干渉するため、リップ６５が損傷するおそれがある。しかるに実施形態１の場合、シール孔６４の内周面全体に亘ってリップ６５が張り巡らされているため、たとえリップ６５の一部が損傷しても、損傷していないリップ６５の他部によって電線９０に対する適正な防水性を確保することが可能となる。また、万一、シール孔６４内に水が浸入しても、浸入した水が枡６９内に捕捉されることにより、キャビティ２１内のバレル部３２（端子金具３０と電線９０との接続部分）に水が付着するのが防止される。
【００２４】
以上説明したように、実施形態１によれば、シール部材６０のシール孔６４に電線９０が挿入されると、電線９０の外周面に網目状のリップ６５が密着するため、電線９０とリップ６５との接触面積が従来のリップよりも増加し、所定の防水性を確保することが可能となる。
【００２５】
また、リップ６５が互いに交差する複数の第１、第２リップ６６、６７からなり、各第１、各第２リップ６６、６７がいずれも電線９０の挿入方向Ａに対して斜めに延びる形態とされるため、各第１、各第２リップ６６、６７によって電線９０に対する引っ掛かりが形成され、電線９０に対するシール部材６０の保持信頼性が確保される。さらに、リップ６５がシール孔６４の内周面全体に亘って形成されているため、防水性がより高められる。
【００２６】
＜他の実施形態＞
本発明は上記記述及び図面によって説明した実施形態に限定されるものではなく、例えば次のような実施形態も本発明の技術的範囲に含まれる。
（１）リップは、曲線状に形成されるものであってもよい。
（２）第１、第２リップのいずれか一方は、電線の挿入方向に延びる形態であってもよい。
（３）リップを成形する金型は一般には放電加工によって成形されるが、リップはドリル等の機械的手段や薬品の利用によって成形されるものであってもよい。
（４）リップの網目模様は、部分的に切断されていてもよい。
（５）枡は、三角等の上記以外の多角形であってもよく、また円等の丸形状であってもよい。
（６）端子金具は、雄タブを突成させた雄端子金具であってもよい。
【符号の説明】
【００２７】
１０…防水コネクタ
２０…コネクタハウジング
２１…キャビティ
３０…端子金具
６０…シール部材
６４…シール孔
６５…リップ
６６…第１リップ
６７…第２リップ
６９…枡
９０…電線
Ａ…電線の挿入方向
【図１】
0005737140.tif 000002
【図２】
0005737140.tif 000003
【図３】
0005737140.tif 000004
【図４】
0005737140.tif 000005